(57)【要約】      （修正有）【課題】塵芥収容箱内に積み込まれる塵芥の圧縮状態を外部から容易に確認できるようにして、塵芥の積み込み作動中に、さらに塵芥の積み込みが可能かどうかの判断をして、常に塵芥の最適な積み込み状態とすることができる塵芥収集車を提供する。【解決手段】塵芥収集車両の塵芥収容箱２の側壁２1の、前記塵芥投入箱５側寄りの車両後方下部領域Ａには、その塵芥投入箱５内に投入された塵芥の圧縮状態を確認し得る覗き窓２０を設ける。【選択図】図４
2018193188.tif 000002
【特許請求の範囲】
【請求項１】
車体フレーム（１）上に搭載される塵芥収容箱（２）の後面開口部に塵芥投入箱（５）を連接し、その塵芥投入箱（２）内に塵芥押込装置（１０、１１０）を設け、その塵芥押込装置（１０、１１０）の作動により、そこに投入された塵芥を塵芥収容箱（２）内に積み込むようにした、塵芥収集車両において、
前記塵芥収容箱（２）の側壁（２1 ）の、前記塵芥投入箱（５）側寄りの車両後方下部領域（Ａ）には、その塵芥投入箱（５）内に投入された塵芥の圧縮状態を確認し得る覗き窓（２０）を設けたことを特徴とする、塵芥収集車両における塵芥の積込状態確認装置。
【請求項２】
前記車両後方下部領域（Ａ）は、前記塵芥収容箱（２）の底壁（２2 ）の車両前後方向の中点（Ｃ）と、その塵芥収容箱（２）の後縁上端（Ｐ）とを結ぶ仮想線（Ｌ）よりも塵芥収容箱（２）の車両後方かつ、塵芥収容箱（２）の車両後端までの領域であることを特徴とする、前記請求項１記載の塵芥収集車両における塵芥の積込状態確認装置。
【請求項３】
塵芥押込装置（１０、１１０）の押込板（１５，１１５）が前端にあるとき、その押込板（１５，１１５）前端の法線上に、前記覗き窓（２０）が配置されることを特徴とする、前記請求項１または２記載の塵芥収集車両における塵芥の積込状態確認装置。
【発明の詳細な説明】
【技術分野】
【０００１】
本発明は、車体フレームに搭載される塵芥収容箱の開口後面に、塵芥積込装置を備えた塵芥投入箱を連接してなる塵芥収集車両において、塵芥収容箱内に積み込まれる塵芥の圧縮状態を外部から容易に確認できるようにして、塵芥の積み込み作動中に、塵芥の積込状態を外部から確認できるようにして、さらなる塵芥の積み込みが可能かどうかの判断をして、常に塵芥の最適な積み込み状態とすることができるようにした、塵芥収集車両における塵芥の積込状態確認装置に関する。
【背景技術】
【０００２】
従来、車体フレーム１に搭載される塵芥収容箱３の開口後面に、塵芥積込装置を備えた塵芥投入箱７を連接してなる塵芥収集車両において、塵芥投入箱７の側壁に、外部から塵芥収容箱３の内部を確認するための覗き窓２０を設けたものは既に公知である（後記特許文献１参照）。
【先行技術文献】
【特許文献】
【０００３】
【特許文献１】特許第２６２０９９３号公報
【発明の概要】
【発明が解決しようとする課題】
【０００４】
ところで、前記塵芥収容箱に積み込まれる塵芥は、圧縮性の高いものが多く含まれているために、塵芥収容箱に満遍なく収容された後であってもなお塵芥積込装置により塵芥を強制的に押し込むことで圧縮しながら塵芥収容箱に収容して塵芥の積込量を多くすることが可能であることから、塵芥収容箱内全体の塵芥の圧縮状態を外部から確認できることが望まれるが、前記特許文献１に示される覗き窓は、塵芥積込装置から離れた塵芥収容箱の前部にあるため、塵芥収容箱全体の塵芥の圧縮状態、特に塵芥積込装置に近い、充分に圧縮されていない塵芥の圧縮状態を確認できないという問題がある。
【０００５】
本発明は、かかる点に鑑みてなされたもので、塵芥収容箱の側壁に設けられる覗き窓の位置を特定することで、塵芥収容箱内に積み込まれる塵芥の圧縮状態を外部から容易に確認でき、塵芥の積み込み作動中に、さらなる塵芥の積み込みが可能かどうかの判断をすることができ、常に塵芥の最適な積み込み状態とすることができ、塵埃の積込能率を高めることができるようにした、新規な塵芥収集車両における塵芥の積込状態確認装置を提供することを目的とする。
【課題を解決するための手段】
【０００６】
上記目的を達成するため、請求項１の発明は、車体フレーム上に搭載される塵芥収容箱の後面開口部に塵芥投入箱を連接し、その塵芥投入箱内に塵芥押込装置を設け、その塵芥押込装置の作動により、そこに投入された塵芥を塵芥収容箱内に積み込むようにした、塵芥収集車両において、
前記塵芥収容箱の側壁の、前記塵芥投入箱側寄りの車両後方下部領域には、その塵芥投入箱内に投入された塵芥の圧縮状態を確認し得る覗き窓を設けたことを特徴としている。      
【０００７】
上記目的を達成するため、請求項２の発明は、前記請求項１の発明において、前記車両後方下部領域は、前記塵芥収容箱の底壁の車両前後方向の中点と、その塵芥収容箱の後縁上端とを結ぶ仮想線よりも塵芥収容箱の車両後方かつ、塵芥収容箱の車両後端までの領域であることを特徴としている。
【０００８】
上記目的を達成するため、請求項３の発明は、前記請求項１または２の発明において、塵芥押込装置の押込板が前端にあるとき、その押込板前端の法線上に、前記覗き窓が配置されることを特徴としている。
【発明の効果】
【０００９】
請求項１の発明によれば、覗き窓を塵芥収容箱の側壁の、前記塵芥投入箱側寄りの車両後方下部領域に設けたので、その覗き窓は塵芥積込装置による積み込み位置に近い位置にあり、新たに塵芥収容箱に積み込まれた塵芥により、既に積み込まれている塵芥収容箱内の塵芥が圧縮されている様子を外部から確認することができ、さらに塵芥を積み込むことができるか否かを判断することができる。
【００１０】
請求項２の発明によれば、車両後方下部領域を、前記塵芥収容箱の底壁の車両前後方向の中点と、その塵芥収容箱の車両後端上縁とを結ぶ仮想線よりも塵芥収容箱の車両後方かつ、塵芥収容箱の車両後端までの領域に特定することで、覗き窓の取付範囲の特定がし易くなり、前記判断を迅速、的確に行うことができる。
【００１１】
請求項３の発明によれば、塵芥押込装置の押込板が前端にあるとき、その押込板前端の法線上に、前記覗き窓が配置されることで、塵芥収容箱内に塵芥が圧縮されている様子を一層明瞭に確認できる。
【図面の簡単な説明】
【００１２】
【図１】塵芥の積込状態確認装置を備えた塵芥収集車両の側面図（第１の実施形態）
【図２】図１の２矢視仮想線囲い部分の覗き窓の正面図
【図３】図２の３−３線断面図
【図４】図１の４線矢視囲い部分の拡大図
【図５】回転板式押込板による塵芥収容箱への塵芥の押込状態を示す図（第１の実施形態）
【図６】リム付きの回転板式押込板を備えた塵芥押込装置の側面図（第２の実施形態）
【図７】図６の７線矢視仮想線囲い部分の拡大図
【図８】図７の８−８線断面図
【図９】圧縮板式押込板による塵芥収容箱への塵芥の押込状態を示す図（第３の実施形態）
【発明を実施するための形態】
【００１３】
以下、図１〜５を参照して、塵芥押込装置１０の押込板１５を回転板式とした場合の第１実施形態について説明する。
【００１４】
図１〜４において、塵芥収集車両Ｖの車体フレーム１上には、後端に開口部を有する塵芥収容箱２が搭載されている。この塵芥収容箱２は、車体フレーム１に傾動可能に軸支されており、この塵芥収容箱２と車体フレーム１間に連結される傾動シリンダ３の伸長により車両Ｖの後方に傾動できるようにされる。塵芥収容箱２の後端部の外周は、スチフナ４により縁取りして補強されている。前記スチフナ４は、塵芥収容箱２の後端上縁を補強するルーフスチフナと、その左右側縁を補強するサイドスチフナ、その後端下縁を補強するデッキスチフナとを有する。塵芥収容箱２の後端部には、塵芥投入口６を後端面に有する塵芥投入箱５が、塵芥収容箱２の後端部を覆うように連接されており、この塵芥投入箱５は、塵芥収容箱２の後部上端に傾動可能に軸支されている。塵芥収容箱２の後端下部には、固縛シリンダ７により開閉可能な固縛フック８が軸支されており、塵芥投入箱５は、通常は固縛フック８の作動により塵芥収容箱２に一体に固縛されており、この固縛フック８は、塵芥収容箱２を回動して収容塵芥を排出するときや、点検整備する時に固縛解除されて、塵芥投入箱５の傾動を可能とする。
【００１５】
塵芥投入箱５内には、塵芥積込装置１０が収容されている。この塵芥積込装置１０は、塵芥投入箱５内に投入された塵芥を、該箱５内の底部より前方上部に掻き上げるため、回転モータにより支持軸１２回りに回転可能な掻上板１３と、その掻上板１３上の塵芥を塵芥収容箱２内に押し込むため、押込シリンダ１４により支持軸１６回りに前後方向に揺動可能な回転板式押込板１５とを備えている。
【００１６】
塵芥収容箱２の側壁２1 の車両後方（塵芥投入箱５側の後方）の下方には、塵芥収容箱２の内部を視認し得る覗き窓２０が設けられる。
【００１７】
次に、図２，３を参照して４１、この覗き窓２０の構造および塵芥収容箱２の左側の側壁２1 への取付構造について説明する。
【００１８】
金属製のリング状窓枠２１の内周面に形成される環状凹溝２２内には、その両側にラバー２３を挟んで透明ガラスよりなる円盤状透明体２４の外周縁が嵌合され、窓枠２１の外面に当接されるリング状のプロテクタ２５を、複数のねじ２６によりワッシャ２７を介して窓枠２１に固着することで、覗き窓２０は窓枠２１に固定される。前記窓枠２１は、その内面が塵芥収容箱２の側壁２1 に開口した窓穴２８を囲むようにして、その側壁２1 の外面に溶接２９され、窓枠２１の内面外周縁は、その全周に亘って側壁２1 の外面に、浸水防止剤［セメダイン（登録商標）板金白色シーラー（ゴムが主成分のクロロプレンゴム）］３０を塗布することで、不連続溶接部を覆い、覗き窓２０は、側壁２1 に防水状態で固定される。
【００１９】
そして、プロテクタ２５の内側に、円盤状透明体２４が露出して、塵芥収容箱２の内部を視認し得る範囲Ｂが定められる。
【００２０】
ところで、前記覗き窓２０は、塵芥の塵芥収容箱２への積込作動中において、新たに塵芥収容箱２内に押し込まれた塵芥により、塵芥収容箱２内に既に収容されている塵芥が圧縮されている様子を外部から確認して、さらに塵芥を積み込むことができるか否かを判断できるのに好ましい範囲に設けられる。
【００２１】
次に、図４を参照して、その範囲について検討してみるに、前記覗き窓２０は、塵芥収容箱２の底壁２2 の前後方向の中点Ｃと、塵芥収容箱２の後縁上端（ルーフスチフナ４の下端）Ｐを結ぶ仮想線Ｌよりも車両後方かつ、塵芥収容箱２の後端までの範囲Ａ（図４、平行線群の範囲）の塵芥収容箱２の側壁２1 に設けるのが好ましい。
【００２２】
前記範囲Ａは、塵芥積込装置１0 による塵芥の積み込み位置に近いため、覗き窓２０により、新たに塵芥収容箱２内に積み込まれた塵芥により、既に塵芥収容箱２内に押し込まれている塵芥の圧縮されている様子を外部から見ることができ、これで塵芥の移動量を確認することができ、後どれくらいの塵芥を積載できそうか、あるいは既に満載に近いかを判断できる。
【００２３】
たとえば、ゴミ箱内のゴミを手で押し込むときのように、塵芥押込装置１０は、塵芥を塵芥収容箱２の奥の方まで押し込むことが難しいが、覗き窓２０から見える塵芥収容箱２後端近くの塵芥が大きく移動するのであれば、塵芥収容箱２中央部やその後方にある塵芥をまだ圧縮できる状況にあると判断でき、一方、塵芥の動きが鈍いのであれば、塵芥収容箱２内の中央部やその後方にある塵芥は、既に圧縮しきっている状況とみなされ、それ以上の塵芥の押し込みは難しいと判断される。
【００２４】
さらに、実験結果によれば、覗き窓２０による塵芥の圧縮状態を確認し易い最適の位置が特定される。すなわち、図５において、投入塵芥を塵芥収容箱２内に押し込む回転板式押込板１５が前後方向に揺動するときに、その押込板１５の前面先端の法線（図５(1) は、押込板１５が塵芥収容箱２の後端に差し掛かったときの前記法線、図５(2) は、押込板１５が揺動前端にあるときの前記法線をそれぞれ示す）より上方、かつ押込板１５先端の円弧状軌跡の描く接線（図５(3) には、押込板１５先端が塵芥収容箱２の後端に差し掛かったときの前記接線、図５(4) には押込板１５先端が揺動前端にあるときの前記接線をそれぞれ示す）よりも下方の範囲Ａ1 （図５に交差線で示す範囲）に覗き窓２０の範囲の少なくとも一部が重なるように配置する。
【００２５】
好ましくは、押込板１５が揺動前端にあるときの押込板１５の先端の法線（２）上に覗き窓２０の範囲Ｂが位置するようにする。
【００２６】
なお、押込板１５先端が塵芥収容箱２の後端よりも塵芥投入箱５側であっても、押込板１５の先端の法線（２）上に覗き窓２０の範囲Ｂが位置するようにする。
【００２７】
これにより、押込板１５が塵芥を押し込むときに、その押し込みにより圧縮される塵芥収容箱２内の塵芥が存在する個所に覗き窓２０の範囲Ｂが配置されることになり、塵芥収容箱２内の塵芥が圧縮されている様子を一層明瞭に確認できる。
【００２８】
図６〜８には、本発明の第２の実施形態を示すもので、回転式押込板１５の前面に、塵芥の押し込み角度を変更し得るリムＲを設けた場合である。このリムＲは前方、すなわち塵芥収容箱２に向かって上下方向にく字状に屈折した板状のスチフナ４０の背面に、補強用の複数のプレート４１を固定して構成されており、前記スチフナ４０は、塵芥の押込にあたり有効な面となる。
【００２９】
図７に示すように、押込板１５の支持軸１６の中心と、その押込板１５の先端とを通る仮想線ｌと、スチフナ４０の前面とのなす角度θを変更することにより、塵芥収容箱２の底壁２2 に対する、押込板１５の塵芥押込み角度を変更することができる。前記角θを大きくすると、押込板１５の底壁２2 に対する塵芥押込み角度が小さくなり、前記角度θを小さくすると、押込板１５の底壁２2 に対する塵芥押込み角度が大きくなる。よって、この第２の実施形態では、押込板１５の前記角度θに応じて前記範囲Ａにおける覗き窓２０の取付位置が設定される。
【００３０】
図６には、前記角度θに対する前記第１の実施形態と同じ法線(1) ，(2) ，(3) ，(4) が示されており、前記覗き窓２０を、前記法線(2) 上に配置させることで、塵芥が圧縮されている様子を最も明瞭に確認できる。
【００３１】
次に、図９を参照して、塵芥押込装置１１０に圧縮板式押込板１１５を用いた場合の第３の実施形態について説明する。
【００３２】
塵芥投入箱５内に収容されている塵芥積込装置１１０は、上下に摺動可能な摺動部材１１１と、この摺動部材１１１を摺動させるため、その摺動部材１１１と塵芥投入箱５の上部との間に連結される昇降シリンダ１１２と、摺動板部材１１１の下部に支持されて上下方向の摺動可能な圧縮板式押込板１１５と、この押込板と１１５と摺動部材１１１との間に連結される押込シリンダ１１３とを備える。
【００３３】
この第３の実施形態において、覗き窓２０は、前記第１の実施形態と同じ構造を備え、またその塵芥収容箱２の側壁２1 への取付位置の好ましい範囲Ａも前記第１の実施形態と同じである。すなわち、前記覗き窓２０は、塵芥収容箱２の底壁２2 の前後方向の中点Ｃと、塵芥収容箱２の後端のルーフスチフナ４の上端Ｐとを結ぶ仮想線Ｌよりも車両後方かつ、塵芥収容箱２の後端までの範囲Ａ（図９平行線群の範囲）の塵芥収容箱２の側壁２1 に設けるのが好ましい。
【００３４】
さらに、この第３の実施形態において、実験結果によれば、覗き窓２０による圧縮塵芥の確認し易い位置が次のように特定される。すなわち、図９において、線(5) は、圧縮板式押込板１１５が最上昇したときの、該押込板１１５先端前面の法線であり、また線(6) は、前記押込板１１５先端の前面の先端軌跡の延長線であり、前記好ましい範囲Ａ内において、前記押込板１１５先端の法線(5) よりも上方かつ押込板１１５先端軌跡の延長線(6) よりも下方の範囲Ａ2 （図９交差線の範囲）に、覗き窓２０はその少なくとも一部が重なるように配置される。
【００３５】
好ましくは、押込板１１５が前端にあるときの押込板１１５の前端の法線(5) 上に覗き窓２０の範囲Ｂが位置するようにする。
【００３６】
而して、この範囲Ａ2 に覗き窓２０が配置することにより、前記第１、第２の実施形態における回転板式押込板１５を用いた場合と同じく、圧縮板式押込板１１５が塵芥を押し込むときに、塵芥収容箱２内の塵芥が圧縮されている様子を一層明瞭に確認できる。
【００３７】
以上、本発明の実施形態について説明したが、本発明はその実施形態に限定されることなく、本発明の範囲内で種々の実施形態が可能である。
【００３８】
たとえば、塵芥投入箱内に設けられる、塵芥積込装置は、前記実施態様に示す、回転板式、あるいは圧縮板式のほか、他の塵芥積込装置であってもよく、その場合も覗き窓は、塵芥収容箱２内の塵芥が圧縮される範囲に設ければよい。
【符号の説明】
【００３９】
１・・・・・・・・・車体フレーム
２・・・・・・・・・塵芥収容箱
２1 ・・・・・・・・側壁
２2 ・・・・・・・・底壁
５・・・・・・・・・塵芥投入箱
１０・・・・・・・・塵芥積込装置（回転板式）
１５・・・・・・・・押込板（回転板式）
２０・・・・・・・・覗き窓
１１０・・・・・・・塵芥積込装置（圧縮板式）
１１５・・・・・・・押込板（圧縮板式）
Ａ・・・・・・・・・車両後方下部領域
Ｃ・・・・・・・・・底板（デッキパネル）の前後方向の中点
Ｌ・・・・・・・・・仮想線
Ｐ・・・・・・・・・塵芥収容箱の後縁上端（ルーフスチフナの上端）
【図１】
2018193188.tif 000003
【図２】
2018193188.tif 000004
【図３】
2018193188.tif 000005
【図４】
2018193188.tif 000006
【図５】
2018193188.tif 000007
【図６】
2018193188.tif 000008
【図７】
2018193188.tif 000009
【図８】
2018193188.tif 000010
【図９】
2018193188.tif 000011